(57)【特許請求の範囲】
【請求項１】
互いに間隔を設けて路面に設置された複数のブロックからなるブロック列と、前記ブロック列に設けられた視線誘導標とを備え、
前記視線誘導標が、
前記ブロック上に設けられ、または前記ブロック間の路面に設けられて、鉛直方向に延びる複数の支柱と、
隣り合う前記支柱の上部を相互に連結し、前記ブロックの上方を通って前記ブロック列の長手方向に延びる連結ビームとを有し、
前記連結ビームが前記支柱とは別部材により形成され、前記支柱の上部に外嵌可能な取付部が前記連結ビームの両端に設けられ、
前記取付部の内径は、前記支柱の弾性変形により挿入可能となるように、前記支柱の上部の外径に一致し、または少し小さく設定されている道路分離体。
【請求項２】
前記連結ビームにより連結された一対の前記支柱のうち少なくとも片方が、前記ブロックに設けられた取付孔を介して設置されている請求項１に記載の道路分離体。
【請求項３】
隣り合う前記ブロックに跨って前記視線誘導標が設置されている請求項１または２に記載の道路分離体。
【請求項４】
前記連結ビームの両端に設けられた前記取付部の各々が筒形に形成され、そのうち少なくとも片方が、前記支柱の上部に干渉して鉛直方向に位置決めされるように構成されている請求項１〜３いずれか１項に記載の道路分離体。
【発明の詳細な説明】
【技術分野】
【０００１】
本発明は、高速道路の暫定二車線のセンターラインなどに設置されて分離帯を構成する道路分離体に関する。
【背景技術】
【０００２】
高速道路の暫定二車線のセンターラインなどでは、互いに間隔を設けて路面に設置された複数のブロックからなるブロック列により分離帯が構成される場合がある。しかし、ブロックの高さは一般に８０〜１００ｍｍ程度、大きくても精々１５０ｍｍ程度であるため、オーバーラインしようとするドライバーに対して十分な注意喚起ができるほど視認性に優れるものではなかった。
【０００３】
特許文献１，２には、それぞれブロック列を構成するブロックにポールを立設した道路分離体が記載されている。また、特許文献３には、中央分離帯に立設した支柱の上端に水平ハウジングをＴ字状に接合した視線誘導標が記載されている。これらによれば、ドライバーに幾らか注意喚起できると考えられるものの、ドライバーに与える圧迫感が然程でもないため、半ば意図的にオーバーラインしようとするドライバーを抑止するほどの効果は期待できない。
【０００４】
特許文献４，５には、それぞれ路面に立設された標識柱本体に対してＴ字形をなすようにビームを結合してなる道路標識柱が記載されている。また、特許文献６には、路面に立設された複数のポールの間にリボン状部材を張り渡した視線誘導標識柱が記載されている。但し、これらは歩行者の横断防止を目的としており、半ば意図的にオーバーラインしようとするドライバーを抑止するための手法を開示するものではない。
【先行技術文献】
【特許文献】
【０００５】
【特許文献１】特開平０８−１２０６３１号公報
【特許文献２】特開平０８−１２０６３２号公報
【特許文献３】特開平１０−１８３５４０号公報
【特許文献４】特開２００６−９７２４６号公報
【特許文献５】特開２００１−１８２０２１号公報
【特許文献６】特開２００３−１０５７２６号公報
【発明の概要】
【発明が解決しようとする課題】
【０００６】
本発明は上記実情に鑑みてなされたものであり、その目的は、優れた視認性によりドライバーに注意喚起を促すとともに、ドライバーに圧迫感を与えてオーバーラインを抑止できる道路分離体を提供することにある。
【課題を解決するための手段】
【０００７】
上記目的は、下記の如き本発明により達成できる。即ち、本発明に係る道路分離体は、
互いに間隔を設けて路面１０に設置された複数のブロック２からなるブロック列２０と、前記ブロック列２０に設けられた視線誘導標３０とを備え、
前記視線誘導標３０が、
前記ブロック２上に設けられ、または前記ブロック２間の路面１０に設けられて、鉛直方向に延びる複数の支柱３１と、
隣り合う前記支柱３１，３１の上部を相互に連結し、前記ブロック２の上方を通って前記ブロック列２０の長手方向に延びる連結ビーム３２とを有し、
前記連結ビーム３２が前記支柱３１とは別部材により形成され、前記支柱３１の上部に外嵌可能な取付部３４が前記連結ビーム３２の両端に設けられ、
前記取付部３４の内径は、前記支柱３１の弾性変形により挿入可能となるように、前記支柱３１の上部の外径に一致し、または少し小さく設定されているものである。
【０００８】
この道路分離体によれば、路面に設置されるブロックに上記の如き視線誘導標を組み合わせているので、優れた視認性によりドライバーに注意喚起を促すことができる。しかも、その視線誘導標は、上記のように一対の支柱の上部を連結ビームによって相互に連結した構造であるため、ドライバーに圧迫感を与えてオーバーラインを抑止することができる。また、この道路分離体であれば、車両が接近した際にタイヤがブロックと接触し得るため、その衝撃を感じたドライバーにオーバーラインを抑止させる効果が期待できる。
【０００９】
前記連結ビームが前記支柱とは別部材により形成され、前記支柱の上部に外嵌可能な取付部が前記連結ビームの両端に設けられている。かかる構成によれば、連結ビームを挿通させるための孔やスリットなどの特殊な加工を支柱の上部に設ける必要がないので、視線誘導標を簡易に構成できる。
また、この場合には、連結ビームを所定の高さ（鉛直方向における位置）で保持するうえで、前記連結ビームの両端に設けられた前記取付部の各々が筒形に形成され、そのうち少なくとも片方が、前記支柱の上部に干渉して鉛直方向に位置決めされるように構成されていることが好ましい。
【００１０】
前記連結ビームにより連結された一対の前記支柱のうち少なくとも片方が、前記ブロックに設けられた取付孔を介して設置されているものが好ましい。これにより視線誘導標の高さが増し、視認性の更なる改善や圧迫感の向上の効果が得られる。しかも、ブロックの施工に用いられる取付孔の利用が可能となり、既設のブロックであれば取付孔が精度良く形成されているので、施工性に優れる。
【００１１】
隣り合う前記ブロックに跨って前記視線誘導標が設置されているものが好ましい。かかる構成によれば、視線誘導標の連結ビームによってブロック間の通行が遮られ、より効果的にオーバーラインを抑止できる。
【図面の簡単な説明】
【００１２】
【図１】本発明に係る道路分離体の一例を示す正面図
【図２】図１の道路分離体におけるブロックと視線誘導標を示す斜視図
【図３】取付孔の周辺を概略的に示す縦断面図（但し、支柱は正面視で描いている）
【図４】支柱とは別部材により形成された連結ビームの一例を示す斜視図
【図５】視線誘導標の設置に関する別態様を示す正面図
【図６】視線誘導標の設置に関する別態様を示す正面図
【図７】視線誘導標の設置に関する別態様を示す正面図
【図８】視線誘導標の設置に関する別態様を示す正面図
【発明を実施するための形態】
【００１３】
以下、本発明の実施の形態について、図面を参照しながら説明する。
【００１４】
図１に示した道路分離体１は、例えば高速道路の暫定二車線のセンターラインに設置されて分離帯（中央分離帯）を構成する。この道路分離体１は、互いに間隔を設けて路面１０に設置された複数のブロック２からなるブロック列２０と、そのブロック列２０に設けられた視線誘導標３０とを備える。視線誘導標３０は、ブロック２上に設けられて鉛直方向に延びる複数の支柱３１と、隣り合う支柱３１の上部を相互に連結し、ブロック２の上方を通ってブロック列２０の長手方向ＬＤに延びる連結ビーム３２とを有する。
【００１５】
この道路分離体１によれば、路面１０に設置されたブロック２に連結タイプの視線誘導標３０を組み合わせているので、優れた視認性によりドライバーに注意喚起を促すことができる。しかも、視線誘導標３０は、一対の支柱３１の上部を連結ビーム３２によって相互に連結した構造であるため、ドライバー（半ば意図的にオーバーラインしようとするドライバーも含む）に圧迫感を与えてオーバーラインを抑止することができる。また、この道路分離体１であれば、車両が接近した際にタイヤがブロック２と接触し得るため、その衝撃を感じたドライバーにオーバーラインを抑止させる効果が期待できる。
【００１６】
図２のように、ブロック２は、平坦な上面と底面、並びに四つの側面を有しており、正面視では細長い略台形を呈し、平面視では細長い矩形を呈する。側面の各々は上方に向かって中央側に傾斜しており、ブロック２は角錐台形に形成されている。本実施形態では、ブロック２が樹脂ブロックにより形成されているが、これに限定されず、例えばコンクリートブロックであっても構わない。樹脂ブロックには、衝撃強度が高く、耐候性や耐久性に優れた樹脂が好ましく用いられ、例えば熱可塑性樹脂を使用することができる。
【００１７】
ブロック２には、長手方向ＬＤに離れた一対の取付孔２１が設けられている。本実施形態では、連結ビーム３２により連結された一対の支柱３１のうち両方が、そのブロック２に設けられた取付孔２１を介して設置されている。これにより視線誘導標３０の高さが増し、視認性の更なる改善や圧迫感の向上の効果が得られる。しかも、ブロック２の施工に用いられる取付孔２１の利用が可能となり、既設のブロック２であれば取付孔２１が精度良く形成されているので、施工性に優れる。
【００１８】
本実施形態では、取付孔２１が、ブロック２を上下に貫通する段付きの丸孔として形成されている。図３に示すように、取付孔２１は、上面に開口する径一定の上孔部２１ａと、底面に開口する径一定の下孔部２１ｂとを有する。上孔部２１ａは下孔部２１ｂよりも大径であり、それらの間の段差によって座部２１ｃが形成されている。上孔部２１ａは、支柱３１の下端部の挿入を許容する直径を有する。この直径が支柱３１の外径より幾分か小さくても、支柱３１の表層部を弾性変形させることで挿入が可能となり、その弾性反発力によって支柱３１の固定が強化される。下孔部２１ｂは、支柱３１の下端部の外径よりも小さく且つアンカーボルト３１ａの挿入を許容する直径を有する。
【００１９】
支柱３１の下端部には、下方に突出した雄ネジよりなるアンカーボルト３１ａが取り付けられている。取付孔２１に挿入された支柱３１の下端部は座部２１ｃで支持され、下孔部２１ｂを通じてアンカーボルト３１ａがブロック２の底面から突出する。その突出したアンカーボルト３１ａを路面１０に埋設されたアンカーナット１１に螺合させることで、ブロック２が路面１０に固定され、そのブロック２上に支柱３１が設置される。尚、ブロック２を固定する方法や支柱３１を設置する方法は、これに限られない。
【００２０】
支柱３１は中空の円筒形に形成されており、これは優れた復元性を発揮するうえで有利である。支柱３１自体の高さは、例えば６５０〜１０００ｍｍであるが、ブロック２上に設けられた支柱３１では、ブロック２の高さ（座部２１ｃの高さ）が加わることで、より高い位置に連結ビーム３２が掲げられ、視認性が向上する。本実施形態では、連結ビーム３２に反射シート３３を貼付して視認性を高めており、これと同様の反射シートを支柱３１にも貼付して構わない。
【００２１】
連結ビーム３２は、ドライバーに与える圧迫感が増すように、板厚方向が水平方向となる板状体により形成されている。また、その板状体の正面（図１，２参照）と背面（図示せず）には、それぞれ注意喚起を促す反射シート３３が貼付されている。長手方向ＬＤにおける連結ビーム３２の長さは、支柱３１の設置間隔に対応している。取付孔２１を介して設置された支柱３１であれば、その設置間隔が精度良く設定されているので、既述のように施工性を向上できる。連結ビーム３２の形状は、棒状体や筒状体など他の形状であっても構わない。
【００２２】
視線誘導標３０を構成する支柱３１と連結ビーム３２は、エラストマー系樹脂などの可撓性を有する材料により形成されることが好ましい。エラストマー系樹脂は耐久性と復元性に優れるため、これにより形成された視線誘導標３０は容易に破損したり塑性変形したりせず、良好な品質を確保できる。かかる視線誘導標３０は柔軟であるため、これのみでは車両の侵入に対抗することが困難であるが、ブロック列２０に視線誘導標３０を設けた道路分離体１であれば、接近した車両（のタイヤ）がブロック２と接触し得るので、車両の侵入を妨害できる。
【００２３】
上記のエラストマー系樹脂としては、熱可塑性エラストマー（ＴＰＥ）が好ましく、具体的には、ポリエステル系ＴＰＥ、ポリウレタン系ＴＰＥ（ＴＰＵ）、ポリオレフィン系ＴＰＥ（ＴＰＯ）、ポリスチレン系ＴＰＥ（ＴＰＳ）、ポリアミド系ＴＰＥ（ＴＰＡＥ）、アイオノマー系ＴＰＥ、ジエン系ＴＰＥ、ポリ塩化ビニル系ＴＰＥ（ＴＰＶＣ）、ポリ塩化ビニル／ポリウレタンポリマーアロイ系ＴＰＥ、熱可塑性樹脂とゴムとの混合物等が例示される。また、これらのＴＰＥにゴムを混合ないし微粒子状で分散したものも使用可能である。これらのＴＰＥは単独で使用可能であり、必要に応じて２種以上を混合使用してもよい。
【００２４】
支柱３１や連結ビーム３２を形成する熱可塑性エラストマーの硬度は、ＪＩＳ−Ａ硬度にて９８以下であることが好ましく、９５以下であることがより好ましい。硬度が高すぎると、屈曲を繰り返すことにより破損しやすくなる傾向にある。熱可塑性エラストマーの硬度は、通常ＪＩＳ−Ａ硬度にて５０以上である。
【００２５】
本実施形態では、図４に示すように、連結ビーム３２が支柱３１とは別部材により形成され、支柱３１の上部に外嵌可能な取付部３４が連結ビーム３２の両端に設けられている。かかる構成によれば、連結ビーム３２を挿通させるための孔やスリットなどの特殊な加工を支柱３１の上部に設ける必要がないので、視線誘導標３０を簡易に構成できる。したがって、例えば、既存の視線誘導柱を支柱３１として使用し、これに連結ビーム３２を取り付けることによって視線誘導標３０を構成できる。
【００２６】
連結ビーム３２の両端に設けられた取付部３４は、その各々が筒形をなし、支柱３１に対して鉛直方向から外挿可能に形成されている。取付部３４はリング状の円筒形であるが、一部を欠落させたＣ字状の円筒形とすることも可能である。また、支柱３１の外形によっては、取付部３４が角筒形や楕円筒形に形成されることもある。円筒形の内径は、それが外嵌される支柱３１の上部の外径に一致し、または少し小さく設定されている。この内径が支柱３１の外径より幾分か小さくても、支柱３１の表層部を弾性変形させることで挿入が可能となり、その弾性反発力によって取付強度が向上する。
【００２７】
この例では、連結ビーム３２の両端に設けられた取付部３４ａ，３４ｂのうち片方（取付部３４ａ）が、支柱３１の上部に干渉して鉛直方向に位置決めされるように構成されている。具体的に、取付部３４ａには、その筒形の上方の開口を閉塞するキャップ３５が設けられている。図２のように、取付部３４ａが外嵌された支柱３１の上部にはキャップ３５が被さり、それによって取付部３４ａが鉛直方向に位置決めされ、延いては連結ビーム３２の高さ（鉛直方向における位置）が保持される。但し、連結ビーム３２の高さを保持するための構造は、このようなキャップを利用したものに限られない。
【００２８】
他方の取付部３４ｂには、キャップなどの位置決め構造を設けていない。但し、このような位置決め構造を取付部３４ｂにも設けることは可能である。本実施形態では、取付部３４ａが外嵌される支柱３１の部分と、取付部３４ｂが外嵌される支柱３１の部分とが互いに高さを異ならせている。これにより、連結ビーム３２の取付部３４ａを、別の連結ビーム３２の取付部３４ｂと一緒に支柱３１に外嵌できるため、連結ビーム３２を連ねて配置することが可能となる（図６、図８参照）。
【００２９】
本実施形態では、連結ビーム３２の両端の取付部３４を支柱３１の上部に外嵌する例を示したが、これに限られるものではない。例えば、支柱の上部に孔やスリットなどを予め加工しておき、その孔またはスリットに連結ビームを挿通させて視線誘導標を構成することも可能である。参考実施形態としては、一対の支柱と連結ビームとを一体成形してなるコの字状の部材により視線誘導標を構成しても構わない。
【００３０】
本実施形態では、連結ビーム３２により連結された一対の支柱３１のうち両方が同一のブロック２上に設けられた例を示したが、これに限られず、例えば図５〜８に示した態様が可能である。これらの態様は、以下に説明する構成の他は、前述の実施形態と同様であるので、それらの共通点を省略して主に相違点について説明する。前述の実施形態で説明した部材と同一の部材には同一の符号を付し、重複した説明を省略する。
【００３１】
図５の態様では、隣り合うブロック２に跨って視線誘導標３０が設置されている。連結ビーム３２により連結された一対の支柱３１のうち、片方はブロック２上に設けられ、もう片方は、それと隣り合う別のブロック２上に設けられている。これらの支柱３１は、前述のようにブロック２の取付孔２１を介して設置することができる。このように隣り合うブロック２間で視線誘導標３０が架橋された道路分離体であれば、連結ビーム３２によってブロック２間の通行が遮られるため、より効果的にオーバーラインを抑止できる。この態様は、ブロック２の間隔が大きい場合に特に有用である。
【００３２】
図６の態様では、連結ビーム３２により連結された一対の支柱３１のうち、片方がブロック２上に設けられ、もう片方がブロック２間の路面１０に設けられている。後者の支柱３１においては、その下端部に取り付けられたアンカーボルトを、路面１０に埋設されたアンカーナットに螺合させている。また、中央に描かれた支柱３１では、前述した取付部３４ａ，３４ｂの高さ違いを利用して、左右の連結ビーム３２が連ねて配置されている。
【００３３】
図７，８の態様では、連結ビーム３２により連結された一対の支柱３１のうち両方がブロック２間の路面１０に設けられ、視線誘導標３０が１つのブロック２を跨ぐように設置されている。更に、図８の態様では、図６の態様と同様にして左右の連結ビーム３２が連ねて配置されている。これらの構造でも、優れた視認性によりドライバーに注意喚起を促すとともに、ドライバーに圧迫感を与えてオーバーラインを抑止できる。ブロック２がコンクリートブロック（通常は取付孔が無い）である場合や、ブロック２の取付孔が使用不可である場合などに便利な態様である。
【００３４】
上記のようにブロック列２０には複数の視線誘導標３０が設けられ、それらの設置の態様は図１，５〜８に例示した通りである。これらの設置の態様のうち２種以上を１つのブロック列２０内で併用しても構わない。
【００３５】
本発明は上述した実施形態に何ら限定されるものではなく、本発明の趣旨を逸脱しない範囲内で種々の改良変更が可能である。
【符号の説明】
【００３６】
１    道路分離体
２    ブロック
１０  路面
２０  ブロック列
２１  取付孔
３０  視線誘導標
３１  支柱
３２  連結ビーム
３４  取付部
【図１】
0006460774.tif 000002
【図２】
0006460774.tif 000003
【図３】
0006460774.tif 000004
【図４】
0006460774.tif 000005
【図５】
0006460774.tif 000006
【図６】
0006460774.tif 000007
【図７】
0006460774.tif 000008
【図８】
0006460774.tif 000009